(57)【特許請求の範囲】
【請求項１】
ガス機器の動作状態を計測する第１のセンサから前記動作状態に係る計測結果を取得する取得部と、該取得部が取得した計測結果を通知する通知部とを備える端末装置、及び該端末装置から通知される計測結果に基づき、前記ガス機器の劣化度合いを判定する判定装置を備える判定システムにおいて、
前記端末装置は、
前記ガス機器の使用期間に対応付けて通知頻度を記憶する記憶部と、
該記憶部に記憶されている通知頻度に基づき、前記ガス機器の使用期間の長短に応じて、前記判定装置へ計測結果を通知する通知タイミングを設定する設定部と、
前記動作状態とは異なる前記ガス機器の動作状態を計測する第２のセンサを接続する接続部と、
該接続部に接続した前記第２のセンサからの計測値が正常値であるか否かを判断する判断部と
を備え、
前記通知部は、前記第２のセンサからの計測値が正常値であると前記判断部が判断した場合、前記第１のセンサから取得した計測結果を、前記設定部が設定した通知タイミングにて前記判定装置へ通知し、前記第２のセンサからの計測値が正常値でないと前記判断部が判断した場合、前記第１のセンサから取得した計測結果を、前記記憶部に記憶されている通知頻度より高い通知頻度にて前記判定装置へ通知する
ことを特徴とする判定システム。
【請求項２】
前記端末装置は、
前記取得部にて取得した計測値が正常値であるか否かを判断する判断部
を備え、
前記計測値が正常値でないと判断した場合、前記通知部は、前記記憶部に記憶されている通知頻度より高い通知頻度にて前記判定装置への通知を行う
ことを特徴とする請求項１に記載の判定システム。
【請求項３】
ガス機器の動作状態を計測する第１のセンサから前記動作状態に係る計測結果を取得し、取得した計測結果を、該計測結果に基づいて前記ガス機器の劣化度合いを判定する判定装置へ通知する端末装置において、
前記ガス機器の使用期間に対応付けて通知頻度を記憶する記憶部と、
該記憶部に記憶されている通知頻度に基づき、前記ガス機器の使用期間の長短に応じて、前記判定装置へ計測結果を通知する通知タイミングを設定する設定部と、
前記動作状態とは異なる前記ガス機器の動作状態を計測する第２のセンサを接続する接続部と、
該接続部に接続した前記第２のセンサからの計測値が正常値であるか否かを判断する判断部と
を備え、
前記第２のセンサからの計測値が正常値であると前記判断部が判断した場合、前記第１のセンサから取得した計測結果を、前記設定部が設定した通知タイミングにて前記判定装置へ通知し、前記第２のセンサからの計測値が正常値でないと前記判断部が判断した場合、前記第１のセンサから取得した計測結果を、前記記憶部に記憶されている通知頻度より高い通知頻度にて前記判定装置へ通知する
ことを特徴とする端末装置。
【発明の詳細な説明】
【技術分野】
【０００１】
本発明は、ガス機器の劣化度合いを判定する判定システム及び端末装置に関する。
【背景技術】
【０００２】
従来、ガスコンロ、ガス給湯器などのガス機器において、機器周辺のＣＯ濃度（一酸化炭素濃度）を定期的に計測し、計測したＣＯ濃度に基づいてガス機器の異常を検知するシステムが存在する。
【０００３】
しかしながら、上述した検知システムでは、ガス機器において異常が発生したことを検知できるものの、ガス機器の劣化を予測することはできない。このため、ＣＯ濃度によりガス機器の異常を検知するまで、ガス機器の修理又は交換を使用者に促すことはできず、対応が後手になるという問題点を有している。
【０００４】
これに対し、特許文献１では、ガス機器にて計測したＣＯ濃度の計測情報を、公衆網を介して通信可能な診断装置へ随時送信し、診断装置において、ＣＯ濃度の時系列データからガス機器の劣化を推測するシステムが提案されている。
【先行技術文献】
【特許文献】
【０００５】
【特許文献１】特開２０１０−３８３７９号公報
【発明の概要】
【発明が解決しようとする課題】
【０００６】
しかしながら、特許文献１で提案されている診断システムでは、各家庭に存在するガス機器のＣＯ濃度の計測情報を随時収集する必要があるため、計測情報を収集する診断装置に膨大なデータを記憶する記憶装置を準備する必要があったり、各ガス機器から診断装置に至る通信経路上の装置に掛かる負荷が非常に大きくなるという問題点を有している。
【０００７】
本発明は、斯かる事情に鑑みてなされたものであり、診断装置及び通信資源に負荷を掛けることなく、ガス機器の劣化度合いを判定することができる判定システム及び判定装置を提供することを目的とする。
【課題を解決するための手段】
【０００８】
本願の判定システムは、ガス機器の動作状態を計測する第１のセンサから前記動作状態に係る計測結果を取得する取得部と、該取得部が取得した計測結果を通知する通知部とを備える端末装置、及び該端末装置から通知される計測結果に基づき、前記ガス機器の劣化度合いを判定する判定装置を備える判定システムにおいて、前記端末装置は、前記ガス機器の使用期間に対応付けて通知頻度を記憶する記憶部と、該記憶部に記憶されている通知頻度に基づき、前記ガス機器の使用期間の長短に応じて、前記判定装置へ計測結果を通知する通知タイミングを設定する設定部と、前記動作状態とは異なる前記ガス機器の動作状態を計測する第２のセンサを接続する接続部と、該接続部に接続した前記第２のセンサからの計測値が正常値であるか否かを判断する判断部とを備え、前記通知部は、前記第２のセンサからの計測値が正常値であると前記判断部が判断した場合、前記第１のセンサから取得した計測結果を、前記設定部が設定した通知タイミングにて前記判定装置へ通知し、前記第２のセンサからの計測値が正常値でないと前記判断部が判断した場合、前記第１のセンサから取得した計測結果を、前記記憶部に記憶されている通知頻度より高い通知頻度にて前記判定装置へ通知することを特徴とする。
【００１０】
本願の判定システムは、前記端末装置は、前記取得部にて取得した計測値が正常値であるか否かを判断する判断部を備え、前記計測値が正常値でないと判断した場合、前記通知部は、前記記憶部に記憶されている通知頻度より高い通知頻度にて前記判定装置への通知を行うことを特徴とする。
【００１２】
本願の端末装置は、ガス機器の動作状態を計測する第１のセンサから前記動作状態に係る計測結果を取得し、取得した計測結果を、該計測結果に基づいて前記ガス機器の劣化度合いを判定する判定装置へ通知する端末装置において、前記ガス機器の使用期間に対応付けて通知頻度を記憶する記憶部と、該記憶部に記憶されている通知頻度に基づき、前記ガス機器の使用期間の長短に応じて、前記判定装置へ計測結果を通知する通知タイミングを設定する設定部と、前記動作状態とは異なる前記ガス機器の動作状態を計測する第２のセンサを接続する接続部と、該接続部に接続した前記第２のセンサからの計測値が正常値であるか否かを判断する判断部とを備え、前記第２のセンサからの計測値が正常値であると前記判断部が判断した場合、前記第１のセンサから取得した計測結果を、前記設定部が設定した通知タイミングにて前記判定装置へ通知し、前記第２のセンサからの計測値が正常値でないと前記判断部が判断した場合、前記第１のセンサから取得した計測結果を、前記記憶部に記憶されている通知頻度より高い通知頻度にて前記判定装置へ通知することを特徴とする。
【発明の効果】
【００１３】
本願によれば、判定装置及び通信資源に負荷を掛けることなく、ガス機器の劣化度合いを判定することができる。
【図面の簡単な説明】
【００１４】
【図１】判定システムの全体構成を示すブロック図である。
【図２】無線子機の内部構成を説明するブロック図である。
【図３】端末装置の内部構成を説明するブロック図である。
【図４】計測値の通知タイミングを定めたタイミングテーブルの一例を示す図である。
【図５】実施の形態１に係る端末装置が実行する処理の手順を説明するフローチャートである。
【図６】実施の形態２に係る端末装置が実行する処理の手順を説明するフローチャートである。
【図７】実施の形態３に係る端末装置の内部構成を説明するブロック図である。
【図８】実施の形態３に係る端末装置が実行する処理の手順を説明するフローチャートである。
【図９】実施の形態４に係る端末装置及びホストコンピュータが実行する処理の手順を説明するフローチャートである。
【発明を実施するための形態】
【００１５】
以下、本発明をその実施の形態を示す図面に基づいて具体的に説明する。
（実施の形態１）
図１は判定システムの全体構成を示すブロック図である。本実施の形態に係る判定システムは、ガスコンロ、給湯器、ガスヒータ、床暖房などのガス機器３０の動作状態を計測して通知する端末側の装置と、端末側から通知される計測値を基にガス機器３０の劣化度合いを判定するセンタ側の装置とを備える。
【００１６】
センタ側は、ホストコンピュータ１１及びセンタ側網制御装置１２を含む。ホストコンピュータ１１は、センタ側網制御装置１２を通じてＰＨＳ（Personal Handyphone System）網、ＦＯＭＡ（Freedom Of Mobile multimedia Access）網などの広域無線網Ｎ１に接続され、広域無線網Ｎ１を介して端末側と通信を行う。ホストコンピュータ１１は、端末側から通知された計測値を時系列的に記憶する記憶部、記憶部に記憶した計測値を基にガス機器３０の劣化度合いを判定する判定部等（不図示）を備え、判定部による判定結果を必要に応じて端末側に通知する。
【００１７】
端末側は、端末装置２４及びセンサ２５を含む。センサ２５は、例えばＣＯセンサ、点火不良センサ、バーナセンサ、ガス流量センサ、水位センサなどのセンサであり、ガス機器３０の動作状態を定期的に計測して、計測値を端末装置２４へ送出する。端末装置２４は、センサ２５によって計測された計測値を取得し、取得した計測値をセンタ側へ通知する。
【００１８】
本実施の形態では、端末装置２４は、各需要家に供給されるガス、水道、電気等の供給物の使用量を計測するメータ２３と共に無線子機２２に接続され、複数の無線子機２２，２２，…，２２及び無線親機２１により構築される狭域無線網Ｎ２を介して、センサ２５から取得した計測値をセンタ側へ通知する。すなわち、端末装置２４は、各メータ２３から得られる検針値をセンタ側へ送信するために設置された無線テレメータシステム用の通信資源を利用し、無線親機２１及び各無線子機２２のルーティング機能により定まる通信経路を通じて、センサ２５から取得した計測値をセンタ側へ通知する。
【００１９】
なお、図１に示した例では、簡略化のために１つの端末装置２４のみを備える構成としたが、無線子機２２のそれぞれに端末装置２４が接続される構成であってもよい。また、１台の無線子機２２に対して端末装置２４が複数接続される構成であってもよい。
【００２０】
図２は無線子機２２の内部構成を説明するブロック図である。無線子機２２は、制御部２２０、記憶部２２１、狭域無線通信部２２２、接続ポート２２３、表示部２２４、操作部２２５などを備える。無線子機２２が備えるハードウェア各部は、電池２２９から供給される電力により動作するように構成されている。
【００２１】
制御部２２０は、例えば、ＣＰＵ（Central Processing Unit）、ＲＯＭ（Read Only Memory）などを備える。制御部２２０が備えるＣＰＵは、ＲＯＭに予め格納された制御プログラムを実行することにより、上述したハードウェア各部の動作を制御する。また、制御部２２０は、日時情報を出力するクロック、計測開始指示を与えてから計測終了指示を与えるまでの経過時間を計測するタイマ、数をカウントするカウンタ等の機能を備えるものであってもよい。
【００２２】
記憶部２２１は、例えば、ＥＥＰＲＯＭ（Electronically Erasable Programmable Read Only Memory）などの不揮発性メモリにより構成されており、各種動作に関する設定情報、自機に付与された無線機番号、接続ポート２２３に接続されたメータ２３のメータＩＤ、端末装置２４の端末ＩＤ等を記憶する。また、記憶部２２１は、自機の無線機番号を含む１又は複数の無線機番号と、当該無線機番号により識別される無線子機２２又は無線親機２１に至るまでのホップ数とを関連付けて記憶するホップ数テーブルを備える。
【００２３】
狭域無線通信部２２２は、アンテナ２２２ａを通じて電波を発信または受信することによって、無線親機２１及び他の無線子機２２，２２，…，２２との間で所定の無線通信方式にて無線通信を行う。無線通信方式としては、例えばＵバスエアの規格に準拠した通信方式が採用される。無線子機２２の狭域無線通信部２２２は、自機が無線親機２１又は他の無線子機２２から送信されるパケットを受信することが可能である場合、自機の無線機番号を含むＲＮＯを間欠的に送信する。また、狭域無線通信部２２２は、無線親機２１又は他の無線子機２２から送信されるＲＮＯを受信した場合であって、自機が送信すべきパケットを有するとき、当該パケットをＲＮＯの送信元へ送信する。
【００２４】
接続ポート２２３は、メータ２３及び端末装置２４を接続するためのインタフェースを備える。制御部２２０は、接続ポート２２３を通じてメータ２３からの検針値を取得した場合、センタ（ホストコンピュータ１１）を宛先とし、検針値を含むパケットを、狭域無線通信部２２２を通じて送信する。また、制御部２２０は、接続ポート２２３に接続された端末装置２４を通じてセンサ２５からの計測値を取得した場合、センタを宛先とし、計測値を含むパケットを、狭域無線通信部２２２を通じて送信する。
【００２５】
表示部２２４は、ＬＥＤランプ、液晶表示パネル等により構成されており、制御部２２０から出力される制御信号に基づいて、無線子機２２の設置作業及び保守作業を行う作業員等に通知すべき情報を表示する。
【００２６】
操作部２２５は、ディップスイッチ等の各種スイッチ、ボタンにより構成されており、作業員等による各種の設定操作を受付ける。制御部２２０は、操作部２２５から入力される設定内容を基に各種制御を行い、必要に応じて設定内容を記憶部２２１に記憶させる。
【００２７】
図３は端末装置２４の内部構成を説明するブロック図である。端末装置２４は、制御部２４０、記憶部２４１、接続部２４２、センサ入力部２４３、表示部２４４、操作部２４５などを備える。端末装置２４が備えるハードウェア各部は、図に示していない商用電源又は電池から供給される電力により動作するように構成されている。
【００２８】
制御部２４０は、例えば、ＣＰＵ、ＲＯＭなどを備える。制御部２４０が備えるＣＰＵは、ＲＯＭに予め格納された制御プログラムを実行することにより、装置全体を本願の端末装置として機能させる。また、制御部２４０は、日時情報を出力するクロック、計測開始指示を与えてから計測終了指示を与えるまでの経過時間を計測するタイマ、数をカウントするカウンタ等の機能を備えるものであってもよい。
【００２９】
記憶部２４１は、例えば、ＥＥＰＲＯＭなどの不揮発性メモリにより構成されており、例えば、端末装置２４がセンサ２５から取得した計測値をセンタ側へ通知するタイミング等の情報を記憶する。
【００３０】
接続部２４２は、無線子機２２の接続ポート２２３に接続するためのインタフェースを備え、後述するタイミングにて、センサ２５からの計測値を無線子機２２へ送出する。
【００３１】
センサ入力部２４３は、ＣＯセンサ、点火不良センサ、バーナセンサ、ガス流量センサ、水位センサなどのセンサ２５から出力される計測値を端末装置２４の内部に入力するための入力インタフェースを備える。センサ入力部２４３への計測値の入力形態は、計測対象のガス機器３０、使用するセンサ２５の種類等に応じて適宜設計することができる。例えば、ガス機器３０がセンサ２５を備えておらず、外部センサを用いてガス機器３０の動作状態を計測する場合、センサ２５を接続するための接続部をセンサ入力部２４３に設け、接続部を通じて計測値を入力する構成としてもよい。
【００３２】
また、ガス機器３０がセンサ２５を備え、センサ２５からの計測値を出力するための出力ポートを備える場合、ガス機器３０側の出力ポートに接続する接続部をセンサ入力部２４３に設け、接続部を通じて計測値を入力する構成であってもよい。更に、センサ２５が、ガス機器３０の動作状態を計測する計測部、及び計測部による計測値を無線通信により送信する送信部を備える場合、無線通信により送信される計測値を受信するための受信部をセンサ入力部２４３に設け、受信部を通じて計測値を入力する構成であってもよい。
【００３３】
表示部２４４は、ＬＥＤランプ、液晶表示パネル等により構成されており、制御部２４０から出力される制御信号に基づいて、ガス機器３０の使用者に通知すべき情報を表示する。
【００３４】
操作部２４５は、ディップスイッチ等の各種スイッチ、ボタンにより構成されており、例えば、ガス機器３０の保守点検を行う作業員等による各種の設定操作を受付ける。制御部２４０は、操作部２４５から入力される設定内容を基に適宜の制御を行い、必要に応じて設定内容を記憶部２４１に記憶させる。
【００３５】
以下、端末装置２４の動作について説明する。
図４は計測値の通知タイミングを定めたタイミングテーブルの一例を示す図である。タイミングテーブルは、ガス機器３０の使用期間に対して計測値の通知頻度を定めたテーブルであり、端末装置２４の記憶部２４１に予め格納されているものとする。ここで、ガス機器３０の使用期間は、ガス機器３０が実際に使用された正味の時間（累積時間）であってもよく、ガス機器３０が最初に使用されてからの経過時間であってもよい。図４に示したタイミングテーブルの例では、ガス機器３０の使用期間が０年以上、６年未満の場合、通知頻度が１年に１回、使用期間が６年以上、１０年未満の場合、通知頻度が６ヶ月に１回、使用期間が１０年以上の場合、通知頻度が１ヶ月に１回であることを定めている。
【００３６】
端末装置２４の制御部２４０は、記憶部２４１に記憶されている上記タイミングテーブルを参照し、センタ側への計測値の通知タイミングを設定する。
【００３７】
なお、本実施の形態では、タイミングテーブルによって計測値の通知タイミングを設定する構成について説明するが、使用期間を入力値、通知タイミングを出力値とする関数を用いて制御部２４０が通知タイミングを設定する構成であってもよいことは勿論のことである。
【００３８】
図５は実施の形態１に係る端末装置２４が実行する処理の手順を説明するフローチャートである。端末装置２４の制御部２４０は、記憶部２４１に格納されているタイミングテーブルを参照し、次の通知タイミングを設定する（ステップＳ１０１）。例えば、現在のガス機器３０の使用期間が５年である場合、図４に示すタイミングテーブルでは通知頻度が１年に１回であると定められているので、制御部２４０は、記憶部２４１に記憶されている前回の通知タイミングに係る情報を参照し、前回の通知タイミングに１年の期間を加算したタイミングを、次の通知タイミングとして設定する。
【００３９】
次いで、制御部２４０は、現在が通知タイミングに該当するか否かを判断する（ステップＳ１０２）。ガス機器３０が実際に使用された正味の時間（累積時間）をガス機器３０の使用時間として用いる場合、制御部２４０は、例えば、ガス機器３０が動作していることを示す計測値がセンサ入力部２４３から入力された時間を、ガス機器３０が使用された正味の時間として内蔵カウンタを用いて計時することにより、現在が通知タイミングに該当するか否かを判断することができる。また、ガス機器３０が最初に使用されてからの経過時間をガス機器３０の使用時間として用いる場合、制御部２４０は、内蔵クロックから出力される日時情報を基に現在が通知タイミングに該当するか否かを判断する。
【００４０】
現在が通知タイミングに該当しないと判断した場合（Ｓ１０２：ＮＯ）、制御部２４０は、通知タイミングとなるまで待機する。
【００４１】
現在が通知タイミングに該当すると判断した場合（Ｓ１０２：ＹＥＳ）、制御部２４０は、センサ入力部２４３から入力された直近の計測値を、接続部２４２を通じて無線子機２２へ送出する（ステップＳ１０３）。また、制御部２４０は、通知したタイミングに係る情報を記憶部２４１に記憶させる。
【００４２】
無線子機２２は、接続ポート２２３に接続された端末装置２４を通じてセンサ２５からの計測値を取得した場合、計測値を含むセンタ宛のパケットを狭域無線通信部２２２より送信する。無線子機２２から送信される計測値を含んだパケットは、狭域無線網Ｎ２内の１又は複数の無線子機２２及び無線親機２１、並びに広域無線網Ｎ１に接続されたセンタ側網制御装置１２を経由して、ホストコンピュータ１１に到達する。
【００４３】
ホストコンピュータ１１は、端末側から通知される計測値を基に、ガス機器３０の劣化度合いを判定する。ガス機器３０の劣化度合いの判定手法は、ガス機器３０の種類、センサ２５の種類等に応じて適宜設定することができる。例えば、ホストコンピュータ１１は、端末側から通知された計測値と予め設定した閾値とを比較し、計測値が閾値以上（又は閾値以下）となった場合、ガス機器３０が劣化していると判定してもよい。また、ホストコンピュータ１１は、端末側から通知された計測値を時系列的に記憶しておき、新たに通知された計測値が、過去の計測値の変動と比較して急激な変化を示す値となった場合、ガス機器３０が劣化していると判定してもよい。
【００４４】
ホストコンピュータ１１は、判定結果を端末装置２４に通知する。このとき、ホストコンピュータ１１から送信される判定結果は、広域無線網Ｎ１に接続されたセンタ側網制御装置１２、並びに狭域無線網Ｎ２内の無線親機２１及び１又は複数の無線子機２２を経由して、端末装置２４に到達する。
【００４５】
端末装置２４の制御部２４０は、計測結果を無線子機２２へ送出した後、接続部２４２に接続された無線子機２２を通じて、ホストコンピュータ１１から通知される判定結果を受信したか否かを判断する（ステップＳ１０４）。
【００４６】
受信していないと判断した場合（Ｓ１０４：ＮＯ）、制御部２４０は、ホストコンピュータ１１から通知される判定結果を受信するまで待機する。
【００４７】
受信したと判断した場合（Ｓ１０４：ＹＥＳ）、制御部２４０は、ホストコンピュータ１１から通知された判定結果を表示部２４４に表示させる（ステップＳ１０５）。例えば、表示部２４４が液晶表示パネルを備え、ガス機器３０が劣化しているとの判定結果を受信した場合、制御部２４０は、ガス機器３０が劣化している旨を液晶表示パネルに表示することによって、使用者にガス機器３０の修理又は交換を促す。また、表示部２４４がＬＥＤランプを備える場合、制御部２４０は、ＬＥＤランプを点滅又は常時点灯させることにより、ガス機器３０が劣化していることを使用者に報知し、ガス機器３０の修理又は交換を促すようにしてもよい。
【００４８】
以上のように、実施の形態１では、ガス機器３０の使用期間の長短に応じて計測値の通知タイミングを設定する。例えば、ガス機器３０の使用期間が短く、劣化が生じていない可能性が高い場合には、通知間隔が長くなるように通知タイミングを設定することにより、端末及びセンタ間の通信回数を減らすことができ、通信経路上に存在する通信資源に対する負荷を低減することができる。また、ガス機器３０の使用期間が長く、劣化が生じている可能性がある場合には、通知間隔が短くなるように通知タイミングを設定することにより、ガス機器３０の診断（劣化度合いの判定）を適切なタイミングで実施させることができる。
【００４９】
なお、本実施の形態では、端末装置２４がセンサ２５から取得した計測値を無線子機２２へ送出し、無線子機２２の通信機能を利用してセンサ２５の計測値をホストコンピュータ１１へ通知する構成としたが、端末装置２４がホストコンピュータ１１と通信する機能を有するものであってもよい。この場合、端末装置２４は、無線親機２１及び無線子機２２のルーティング機能により定まる通信経路を利用して、計測値をホストコンピュータ１１へ通知することができる。
【００５０】
また、本実施の形態では、端末装置２４とホストコンピュータ１１との間で、無線テレメータシステムの通信資源を共用する構成としたが、家庭内ネットワークを利用して、インターネット経由で計測値をホストコンピュータ１１へ通知する構成としてもよい。
【００５１】
（実施の形態２）
実施の形態２では、センサ２５から取得した計測値に基づき、端末装置２４が通知頻度を設定する構成について説明する。
なお、判定システムの全体構成、及び端末装置２４の内部構成等は、実施の形態１と同様であるため、その説明を省略することとする。
【００５２】
図６は実施の形態２に係る端末装置２４が実行する処理の手順を説明するフローチャートである。端末装置２４の制御部２４０は、センサ入力部２４３を通じてセンサ２５からの計測値を取得した場合、取得した計測値が正常値であるか否かの判断を行う（ステップＳ２０１）。取得した計測値が正常値であるか否かの判断は、例えば、予め設定した閾値との比較によって行う。取得した計測値が閾値よりも大きい場合（又は閾値より小さい場合）、制御部２４０は、取得した計測値が正常値であると判断する。
【００５３】
取得した計測値が正常値であると判断した場合（Ｓ２０１：ＹＥＳ）、制御部２４０は、タイミングテーブルに規定されている通知頻度に従って、計測値をホストコンピュータ１１に通知する（ステップＳ２０２）。端末装置２４が計測値をホストコンピュータ１１に通知する手順は実施の形態１と同様である。
【００５４】
一方、取得した計測値が正常値でないと判断した場合（Ｓ２０１：ＮＯ）、制御部２４０は、タイミングテーブルに規定されている通知頻度よりも高い通知頻度にて、計測値をホストコンピュータ１１に通知する（ステップＳ２０３）。例えば、ガス機器３０の使用期間に応じてタイミングテーブルから読み出した通知頻度が１年に１回であった場合、制御部２４０は、それよりも高い通知頻度（例えば３ヶ月に１回）を新たに設定し、新たに設定した通知頻度に従って計測値をホストコンピュータ１１に通知する。端末装置２４が計測値をホストコンピュータ１１に通知する手順は実施の形態１と同様である。
【００５５】
以上のように、実施の形態２では、センサ２５の計測値が正常値でない場合、センタ側への通知頻度を高めることにより、ガス機器３０の診断（劣化度合いの判定）を適切なタイミングで実施させることができ、ガス機器３０の劣化を早期発見することが可能となる。
【００５６】
（実施の形態３）
実施の形態３では、端末装置２４に複数のセンサを接続した構成について説明する。
なお、判定システムの全体構成等は、実施の形態１と同様であるため、その説明を省略することとする。
【００５７】
図７は実施の形態３に係る端末装置２４の内部構成を説明するブロック図である。実施の形態３に係る端末装置２４は、２つのセンサ入力部２４３Ａ，２４３Ｂを備える。センサ入力部２４３Ａ，２４３Ｂは、それぞれ第１センサ２５Ａ，第２センサ２５Ｂから出力される計測値を端末装置２４の内部に入力するための入力インタフェースをそれぞれ備える。
【００５８】
センサ入力部２４３Ａ，２４３Ｂへの計測値の入力形態は、計測対象のガス機器３０の種類、第１センサ２５Ａ及び第２センサ２５Ｂの種類等に応じて適宜設計することができる。例えば、第１センサ２５Ａ及び第２センサ２５を接続するための接続部をそれぞれセンサ入力部２４３Ａ，２４３Ｂに設け、それぞれの接続部を通じて計測値を入力する構成としてもよい。
【００５９】
また、ガス機器３０が第１センサ２５Ａ及び第２センサ２５Ｂを備え、第１センサ２５Ａ，第２センサ２５Ｂの計測値を外部へ出力するための出力ポートを備える場合、ガス機器３０側の出力ポートに接続する接続部をセンサ入力部２４３Ａ，２４３Ｂに設け、接続部を通じて計測値を入力する構成であってもよい。更に、第１センサ２５Ａ，第２センサ２５Ｂが、ガス機器３０の動作状態を計測する計測部、及び計測部による計測値を無線通信により送信する送信部を備える場合、無線通信により送信される計測値を受信するための受信部をセンサ入力部２４３Ａ，２４３Ｂに設け、受信部を通じて計測値を入力する構成であってもよい。
【００６０】
端末装置２４の記憶部２４１には、第１センサ２５Ａ（例えばＣＯセンサ）の計測値が正常値であるか否かを判断するための閾値、及びガス機器３０の使用期間に応じて第２センサ２５Ｂ（例えばバーナセンサ）の計測値をホストコンピュータ１１へ通知する通知頻度を定めたタイミングテーブルが予め記憶されているものとする。
【００６１】
図８は実施の形態３に係る端末装置２４が実行する処理の手順を説明するフローチャートである。端末装置２４の制御部２４０は、センサ入力部２４３Ａを通じて第１センサ２５Ａからの計測値を取得した場合、取得した計測値が正常値であるか否かの判断を行う（ステップＳ３０１）。取得した計測値が正常値であるか否かの判断は、例えば、記憶部２４１に予め記憶された閾値との比較によって行う。取得した計測値が閾値よりも大きい場合（又は閾値より小さい場合）、制御部２４０は、取得した計測値が正常値であると判断する。
【００６２】
第１センサ２５Ａから取得した計測値が正常値であると判断した場合（Ｓ３０１：ＹＥＳ）、制御部２４０は、タイミングテーブルに規定されている通知頻度に従って、第２センサ２５Ｂから得られる計測値をホストコンピュータ１１に通知する（ステップＳ３０２）。端末装置２４が計測値をホストコンピュータ１１に通知する手順は実施の形態１と同様である。
【００６３】
一方、第１センサ２５Ａから取得した計測値が正常値でないと判断した場合（Ｓ３０１：ＮＯ）、制御部２４０は、タイミングテーブルに規定されている通知頻度よりも高い通知頻度にて、第２センサ２５Ｂから得られる計測値をホストコンピュータ１１に通知する（ステップＳ３０３）。例えば、ガス機器３０の使用期間に応じてタイミングテーブルから読み出した通知頻度が１年に１回であった場合、制御部２４０は、それよりも高い通知頻度（例えば３ヶ月に１回）を新たに設定し、新たに設定した通知頻度に従ってセンサ２５Ｂからの計測値をホストコンピュータ１１に通知する。端末装置２４が計測値をホストコンピュータ１１に通知する手順は実施の形態１と同様である。
【００６４】
以上のように、実施の形態３では、第１センサ２５Ａの計測値が正常値でない場合、それとは異なる第２センサ２５Ｂからの計測値の通知頻度を高くすることにより、ガス機器３０の診断（劣化度合いの判定）を適切なタイミングで実施させることができ、ガス機器３０の劣化を早期発見することが可能となる。
【００６５】
（実施の形態４）
実施の形態４では、計測値の通知頻度をセンタ側から設定する構成について説明する。
なお、判定システムの全体構成、及び端末装置２４の内部構成は、実施の形態１と同様であるため、その説明を省略することとする。
【００６６】
図９は実施の形態４に係る端末装置２４及びホストコンピュータ１１が実行する処理の手順を説明するフローチャートである。端末装置２４は、計測対象のガス機器３０を識別する識別子の入力を操作部２４５に受付け、受付けたガス機器３０の識別子をホストコンピュータ１１へ通知する（ステップＳ４０１）。このとき、端末装置２４は、受付けた識別子を接続部２４２から無線子機２２へ送出し、１又は複数の無線子機２２及び無線親機２１、並びに、広域無線網Ｎ１に接続されたセンタ側網制御装置１２経由で、ガス機器３０の識別子をホストコンピュータ１１へ通知する。ここで、ガス機器３０の識別子は、ガス機器３０の製品名、シリアル番号等を用いることができる。
【００６７】
ホストコンピュータ１１は、センタ側網制御装置１２を通じて、端末装置２４から通知されるガス機器３０の識別子を受信した場合、識別子に基づき、端末装置２４が通知すべき計測値の通知頻度を設定する（ステップＳ４０２）。ホストコンピュータ１１は、ガス機器３０の識別子と使用期間毎の通知頻度とを対応付けて記憶したテーブルを有し、このテーブルを参照して通知頻度を設定してもよい。また、ホストコンピュータ１１は、ガス機器３０の識別子と、ガス機器３０の耐用年数（＝ｎ年）とを対応付けて記憶したテーブルを有し、このテーブルを参照して、例えば、０〜ｎ／２年までの使用期間における通知頻度を１年に１回、ｎ／２〜ｎ年までの使用期間における通知頻度を６ヶ月に１回、ｎ年以上の使用期間における通知頻度を１ヶ月に１回のように通知頻度を設定してもよい。
【００６８】
ホストコンピュータ１１は、設定した通知頻度を端末装置２４へ通知する（ステップＳ４０３）。このとき、ホストコンピュータ１１は、広域無線網Ｎ１に接続されたセンタ側網制御装置１２、並びに無線親機２１及び１又は複数の無線子機２２経由で、通知頻度を端末装置２４へ通知する。
【００６９】
端末装置２４は、無線子機２２を通じて、ホストコンピュータ１１から通知される通知頻度を受信した場合、タイミングテーブルに登録する（ステップＳ４０４）。
【００７０】
以上のように、実施の形態４では、ガス機器３０毎のタイミングテーブルを予め端末装置２４に格納しておく必要はなく、ホストコンピュータ１１との通信により適切な通知頻度を取得することができる。
【００７１】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００７２】
以上の実施の形態に関し、更に以下の付記を開示する。
【００７３】
本願の判定システムは、ガス機器（３０）の動作状態を計測するセンサ（２５）から前記動作状態に係る計測結果を取得する取得部（２４３）と、該取得部（２４３）が取得した計測結果を通知する通知部（２４２）とを備える端末装置（２４）、及び該端末装置（２４）から通知される計測結果に基づき、前記ガス機器（３０）の劣化度合いを判定する判定装置（１１）を備える判定システムにおいて、前記端末装置（２４）は、前記ガス機器（３０）の使用期間の長短に応じて、前記判定装置（１１）へ計測結果を通知する通知タイミングを設定する設定部（２４０）を備え、前記通知部（２４２）は、前記センサ（２５）から取得した計測結果を、前記設定部（２４０）が設定した通知タイミングにて前記判定装置（１１）へ通知することを特徴とする。
【００７４】
本願では、ガス機器の使用期間の長短に応じて計測値の通知タイミングを設定する。例えば、ガス機器の使用期間が短く、劣化が生じていない可能性が高い場合には、通知間隔が長くなるように通知タイミングを設定することにより、端末及びセンタ間の通信回数を減らすことができ、通信経路上に存在する通信資源に対する負荷を低減することができる。また、ガス機器の使用期間が長く、劣化が生じている可能性がある場合には、通知間隔が短くなるように通知タイミングを設定することにより、ガス機器の診断（劣化度合いの判定）を適切なタイミングで実施させることができる。
【００７５】
本願の判定システムは、前記端末装置（２４）は、前記ガス機器（３０）の使用期間に対応付けて通知頻度を記憶する記憶部（２４１）を備え、前記設定部（２４０）は、前記記憶部（２４１）に記憶されている通知頻度に基づいて前記通知部（２４２）による通知タイミングを設定することを特徴とする。
【００７６】
本願では、ガス機器の使用期間が短く、劣化が生じていない可能性が高い場合には、通知頻度を低く設定することにより、端末及びセンタ間の通信回数を減らすことができ、通信経路上に存在する通信資源に対する負荷を低減することができる。また、ガス機器の使用期間が長く、劣化が生じている可能性がある場合には、通知頻度を高く設定することにより、ガス機器の診断（劣化度合いの判定）を適切なタイミングで実施させることができる。
【００７７】
本願の判定システムは、前記端末装置（２４）は、前記取得部（２４３）にて取得した計測値が正常値であるか否かを判断する判断部（２４０）を備え、前記計測値が正常値でないと判断した場合、前記通知部（２４２）は、前記記憶部（２４１）に記憶されている通知頻度より高い通知頻度にて前記判定装置（１１）への通知を行うことを特徴とする。
【００７８】
本願では、センサの計測値が正常値でない場合、センタ側への通知頻度を高めることにより、ガス機器の診断（劣化度合いの判定）を適切なタイミングで実施させることができ、ガス機器の劣化を早期発見することが可能となる。
【００７９】
本願の判定システムは、前記動作状態とは異なる前記ガス機器（３０）の動作状態を計測する第２のセンサ（２５Ｂ）を接続する接続部（２４３Ｂ）と、該接続部（２４３Ｂ）に接続した前記第２のセンサ（２５Ｂ）からの計測値が正常値であるか否かを判断する判断部（２４０）とを備え、前記計測値が正常値でないと判断した場合、前記通知部（２４２）は、前記記憶部（２４１）に記憶されている通知頻度より高い通知頻度にて前記判定装置（１１）への通知を行うことを特徴とする。
【００８０】
本願では、第１のセンサの計測値が正常値でない場合、それとは異なる第２のセンサからの計測値の通知頻度を高くすることにより、ガス機器の診断（劣化度合いの判定）を適切なタイミングで実施させることができ、ガス機器の劣化を早期発見することが可能となる。
【００８１】
本願の端末装置は、ガス機器（３０）の動作状態を計測するセンサ（２５）から前記動作状態に係る計測結果を取得し、取得した計測結果を、該計測結果に基づいて前記ガス機器（３０）の劣化度合いを判定する判定装置（１１）へ通知する端末装置（２４）において、前記ガス機器（３０）の使用期間の長短に応じて、前記判定装置（１１）へ計測結果を通知する通知タイミングを設定する設定部（２４０）を備え、前記センサ（２５）から取得した計測結果を、前記設定部（２４０）が設定した通知タイミングにて前記判定装置（１１）へ通知することを特徴とする。
【００８２】
本願では、ガス機器の使用期間の長短に応じて計測値の通知タイミングを設定する。例えば、ガス機器の使用期間が短く、劣化が生じていない可能性が高い場合には、通知間隔が長くなるように通知タイミングを設定することにより、端末及びセンタ間の通信回数を減らすことができ、通信経路上に存在する通信資源に対する負荷を低減することができる。また、ガス機器の使用期間が長く、劣化が生じている可能性がある場合には、通知間隔が短くなるように通知タイミングを設定することにより、ガス機器の診断（劣化度合いの判定）を適切なタイミングで実施させることができる。
【符号の説明】
【００８３】
１１  ホストコンピュータ
１２  センタ側網制御装置
２１  無線親機
２２  無線子機
２３  メータ
２４  端末装置
２５  センサ
３０  ガス機器
２２０，２４０  制御部
２２１，２４１  記憶部
２２２  狭域無線通信部
２２３  接続ポート
２２４，２４４  表示部
２２５，２４５  操作部
２４２  接続部
２４３  センサ入力部
２２９  電池
【図１】
0006537428.tif 000002
【図２】
0006537428.tif 000003
【図３】
0006537428.tif 000004
【図４】
0006537428.tif 000005
【図５】
0006537428.tif 000006
【図６】
0006537428.tif 000007
【図７】
0006537428.tif 000008
【図８】
0006537428.tif 000009
【図９】
0006537428.tif 000010